(57)【要約】【課題】光軸の傾き調節時に、レンズホルダ２３に設けられた規制突起３１が移動ベース１０と支持体２０との隙間に入り込まないようにした。【解決手段】移動ベース１０の凹部１１には、規制突起３１が対向する側方規制部１１の上端にＺ１方向に突出する延出部３５が形成されている。この延出部３５は、取付片２０ａに形成された切欠き３６に挿通されている。この延出部３５の突出寸法は、光軸が最もＸ１側に傾けられたときに、前記延出部３５が前記切欠き３６から抜け出ないようにして、前記規制突起３１が入り込む隙間が形成されないようになっている。【選択図】　　図２
2004013977.tif 000002
【特許請求の範囲】
【請求項１】
対物レンズを保持するレンズホルダと、前記レンズホルダを可動状態に支持する支持体と、前記支持体が傾き調節可能に設置された移動ベースとを有し、
前記移動ベースには、前記レンズホルダが側方へ移動するときの移動量を規制する側方規制部が、前記支持体には、前記レンズホルダがディスクへ接近する方向へ移動するときの移動量を規制する上方規制部がそれぞれ設けられ、前記レンズホルダには、前記側方規制部と前記上方規制部のそれぞれに対向する規制突起が設けられており、
前記レンズホルダに設けられた前記規制突起と対向する部分で、前記側方規制部と上方規制部との間に前記規制突起が入り込む隙間が形成されないように、前記側方規制部が前記上方規制部の下面よりも上方に延びていることを特徴とする光ピックアップ装置。
【請求項２】
前記上方規制部に穴または切欠きが形成されており、前記側方規制部の上端が、前記穴または切欠き内に挿入されている請求項１記載の光ピックアップ装置。
【請求項３】
前記支持体と前記移動ベースとの間に、前記支持体の傾き量を調節する調節手段が設けられており、
前記調節手段により、前記上方規制部が前記側方規制部から最も離れるように、前記支持体の傾きが調節されたときに、前記側方規制部の上端と前記上方規制部の下面との間に隙間が形成されないように、前記側方規制部の上端の位置が設定されている請求項１または２記載の光ピックアップ装置。
【請求項４】
前記支持体と前記移動ベースとの間に、前記支持体の傾き量を調節する調節手段が設けられており、
前記調節手段により、前記上方規制部が前記側方規制部から最も離れるように、前記支持体の傾きが調節されたときに、前記側方規制部の上端と前記上方規制部の下面との間に形成される隙間内に、前記規制突起が入り込むことが出来ないように、前記隙間の開き寸法と、前記規制突起の厚さが設定されている請求項１または２記載の光ピックアップ装置。
【発明の詳細な説明】
【０００１】
【発明の属する技術分野】
本発明は、ＣＤ、ＤＶＤ、ＭＤなどの記録／再生装置に用いられる光ピックアップ装置に係り、特に、対物レンズの光軸の傾きを調節する手段を有する光ピックアップ装置に関する。
【０００２】
【従来の技術】
図４は従来の光ピックアップ装置を示す断面図である。
【０００３】
この光ピックアップ装置５０は金属製の移動ベース５１を有し、この移動ベース５１が機器本体のシャーシに移動自在に支持されている。前記移動ベース５１には、凹部５２が形成されており、この凹部５２内に支持体５３が設けられている。支持体５３には、対物レンズ５４が搭載されたレンズホルダ５５が図示しないワイヤなどの弾性支持部材を介して可動状態に支持されている。
【０００４】
前記移動ベース５１には調節ねじ５６が挿通されており、この調節ねじ５６の先部に、前記支持体５３に設けられた突出片５３ａが螺着されている。また、前記調節ねじ５６の外周には、圧縮コイルばね５７が設けられて、前記圧縮コイルばね５７により、前記突出片５３ａが移動ベース５１から離れる方向へ付勢されている。レンズホルダ５５を挟んで突出片５３ａと逆側に支持片５３ｂが形成され、この支持片５３ｂが前記移動ベース５１に上下に拘束されて支持されている。
【０００５】
前記調節ねじ５６を回して上下方向への突出量を可変することにより、前記支持体５３は、前記支持片５３ｂ側を支点として、対物レンズ５４の光軸の傾き状態を調節できるようになっている。
【０００６】
前記支持体５３には、図示しないヨークとマグネットが設けられ、レンズホルダ５５には、トラッキングコイル５５ｂ，５５ｂとフォーカシングコイル５５ａとからなるムービングコイルが設けられて、前記レンズホルダ５５がトラッキング方向（Ｘ１−Ｘ２方向）とフォーカシング方向（Ｚ１−Ｚ２方向）に微駆動できるようになっている。
【０００７】
この光ピックアップ装置５０では、レンズホルダ５５に、Ｘ方向に延びる１対の規制突起５８ａ，５８ｂが形成され、この規制突起５８ａ，５８ｂが前記凹部５２の側面５２ａ，５２ｂに当接することで、レンズホルダ５５のトラッキング方向への移動量が規制され、また前記規制突起５８ａ，５８ｂが突出片５３ａと支持片５３ｂの下面にそれぞれ当接することで、レンズホルダ５５のフォーカシング方向への移動量が規制される。
【０００８】
【発明が解決しようとする課題】
前記従来の光ピックアップ装置５０では、対物レンズ５４の光軸の傾き角度を調節する際に、突出片５３ａの下面５３ａ１と、側面５２ａの上端面５２ａ１との間に隙間５９が形成される。前記隙間５９は、前記光軸をＸ１側に大きく傾ける調節を行うことによりさらに広がる可能性がある。
【０００９】
このような場合に、例えば外部からの振動などによってレンズホルダ５５がトラッキング方向へ移動させられると、レンズホルダ５５に設けられた前記規制突起５８ａが、前記隙間５９内に入り込むことが有り得る。このとき、前記支持体５３の突出片５３ａの内側部分が、レンズホルダ５５に設けられたフォーカシングコイル５５ａに当たってコイルの断線を生じたり、または、前記規制突起５８ａが前記隙間５９内に嵌り込んで、レンズホルダ５５の補正動作が不能になるなどの問題が生じるおそれがある。
【００１０】
本発明は、上記従来の課題を解決するものであり、レンズホルダが振動などでトラッキング方向へ動くことがあっても、規制突起が支持部側に入り込むのを防止できる光ピックアップ装置を提供することを目的とする。
【００１１】
【課題を解決するための手段】
本発明は、対物レンズを保持するレンズホルダと、前記レンズホルダを可動状態に支持する支持体と、前記支持体が傾き調節可能に設置された移動ベースとを有し、
前記移動ベースには、前記レンズホルダが側方へ移動するときの移動量を規制する側方規制部が、前記支持体には、前記レンズホルダがディスクへ接近する方向へ移動するときの移動量を規制する上方規制部がそれぞれ設けられ、前記レンズホルダには、前記側方規制部と前記上方規制部のそれぞれに対向する規制突起が設けられており、
前記レンズホルダに設けられた前記規制突起と対向する部分で、前記側方規制部と上方規制部との間に前記規制突起が入り込む隙間が形成されないように、前記側方規制部が前記上方規制部の下面よりも上方に延びていることを特徴とするものである。
【００１２】
例えば、前記上方規制部に穴または切欠きが形成されており、前記側方規制部の上端が、前記穴または切欠き内に挿入されているものである。
【００１３】
上記本発明では、移動ベースと支持体との間に規制突起が入り込む危険性がないので、支持体が駆動機構のコイルに接触してコイルが断線することがなく、さらにレンズホルダが駆動不能になることもない。
【００１４】
また、本発明では、好ましくは、前記支持体と前記移動ベースとの間に、前記支持体の傾き量を調節する調節手段が設けられており、
前記調節手段により、前記上方規制部が前記側方規制部から最も離れるように、前記支持体の傾きが調節されたときに、前記側方規制部の上端と前記上方規制部の下面との間に隙間が形成されないように、前記側方規制部の上端の位置が設定されているものである。
【００１５】
あるいは、前記支持体と前記移動ベースとの間に、前記支持体の傾き量を調節する調節手段が設けられており、
前記調節手段により、前記上方規制部が前記側方規制部から最も離れるように、前記支持体の傾きが調節されたときに、前記側方規制部の上端と前記上方規制部の下面との間に形成される隙間内に、前記規制突起が入り込むことが出来ないように、前記隙間の開き寸法と、前記規制突起の厚さが設定されているものである。
【００１６】
【発明の実施の形態】
図１は本発明の一実施の形態の光ピックアップ装置の全体構造を示す平面図、図２は図１のＩＩ−ＩＩ線の断面図、図３は、図２に示す支持体およびこの支持体に設けられた構造部分を示す部分斜視図である。
【００１７】
本発明の光ピックアップ装置１は、アルミ合金などの金属あるいは合成樹脂で成型された移動ベース１０を有している。この移動ベース１０には、Ｚ１側が開口する略箱型の凹部１１が形成されている。
【００１８】
前記移動ベース１０のＹ１側とＹ２側の両側部には、円形状のガイド穴１０ａとＵ字状のガイド溝１０ｂがそれぞれ形成されている。前記ガイド穴１０ａとガイド溝１０ｂは、装置本体の機構シャーシに平行に固定された１対の金属製のガイド軸２，３に摺動自在に挿通され、移動ベース１０がＸ１−Ｘ２方向にスライド自在となっている。前記装置本体の機構シャーシには、一方のガイド軸と平行に延びるスクリュー軸（図示せず）が設けられ、前記移動ベース１０には、このスクリュー軸のスクリュー溝に係合する係合部が設けられている。スレッドモータによって前記スクリュー軸が回転させられると、前記移動ベース１０がディスクの記録面に沿ってＸ１−Ｘ２方向へ移動させられる。
【００１９】
前記移動ベース１０の凹部１１には、金属製の支持体２０が設けられている。図３にも示すように、前記支持体２０上には、Ｙ２側に合成樹脂製の支持ベース２１が固定されており、前記支持ベース２１のＹ２側の側端面に取り付けられた基板２１ａに、４本の金属製のワイヤ２２の基端部が固定されている。各ワイヤ２２の先端部にはレンズホルダ２３が支持されている。レンズホルダ２３には４本の金属製の係止ピン２３ａ，２３ｂ，２３ｃ，２３ｄがＸ方向に突出して形成されており、各係止ピン２３ａ，２３ｂ，２３ｃ，２３ｄに各ワイヤ２２の先端が半田付けされて固定されている。その結果、前記レンズホルダ２３は、前記移動ベース１０上においてＺ方向およびＸ方向へ可動状態に支持されている。
【００２０】
前記レンズホルダ２３には、対物レンズ２４が保持されている。また前記支持体２０には、レーザーダイオードなどの発光素子と、この発光素子から発せられた検知光を前記対物レンズに送る光学系が設けられている。前記発光素子から発せられた検知光は、前記光学系を介して前記対物レンズ２４で集光されてディスクに照射される。またディスクからの反射光は、対物レンズ２４及び前記光学系を経て、前記支持体２０に設けられた受光素子で受光される。
【００２１】
支持体２０は、凹部１１の底面に沿う底板２０ｄを有し、前記底板２０ｄのＹ１側とＹ２側の各端部には、垂直に折り曲げ形成されたヨーク２５ａ，２５ｂが互いに対向して形成されている。このヨーク２５ａ，２５ｂのそれぞれ内側にマグネット２６ａ，２６ｂが固定されている。
【００２２】
前記レンズホルダ２３には、その側面の全周に渡って溝部２３ｍが形成されて、この溝部２３ｍに銅線を所定周回数巻回して形成されたフォーカシングコイル２７が設けられている。このフォーカシングコイル２７は、１本の銅線で形成され、その端部が前記係止ピン２３ｂに巻きつけられて固定されて、レンズホルダ２３の溝部２３ｍに巻回された後に、他端が前記係止ピン２３ｄに巻きつけられいる。
【００２３】
またレンズホルダ２３には、Ｙ１側に向く側面に１対のコイル巻付部２３ｅ，２３ｈが前記マグネット２６ａに対向して設けられ、Ｙ２側に向く側面に１対のコイル巻付部２３ｆ，２３ｇが前記マグネット２６ｂに対向して設けられている。前記コイル巻付部２３ｅ，２３ｆ，２３ｇ，２３ｈには、銅線を所定回数巻回して形成されたトラッキングコイル２８がそれぞれ設けられている。このトラッキングコイル２８は、１本の銅線で形成されて、その端部が係止ピン２３ａに巻きつけられ、そしてコイル巻付部２３ｅ，２３ｆ，２３ｇ，２３ｈに順番に巻きつけられて、係止ピン２３ｃに巻きつけられている。
【００２４】
前記フォーカシングコイル２７とトラッキングコイル２８とからなるムービングコイルが、前記マグネット２６ａと２６ｂとの間に設置されて、ムービングコイル方式の補正駆動手段が形成されている。前記補正駆動手段では、前記フォーカシングコイル２７に与えられる補正電流により、レンズホルダ２３がフォーカシング方向（Ｚ１−Ｚ２方向）へ微駆動され、前記トラッキングコイル２８に与えられる補正電流により、レンズホルダ２３がトラッキング方向（Ｘ１−Ｘ２方向）へ微駆動される。
【００２５】
前記支持体２０には、前記底板２０ｄのＹ１側においてＸ方向に間隔を開けた両端部から垂直上方（Ｚ１方向）に折り曲げられた起立片２０ｅ，２０ｇが設けられ、またＹ２側で且つＸ１側の側部からも垂直上方へ折り曲げられた起立片２０ｆが設けられている。
【００２６】
前記起立片２０ｅと２０ｆの先端には、水平方向に折り曲げられた取付片２０ａと２０ｂが形成されている。また前記起立片２０ｇの先端にも、水平方向に折り曲げられた支持片２０ｃが形成されている。前記取付片２０ａ，２０ｂには、それぞれ雌ねじ穴２０ａ１，２０ｂ１が形成され、前記支持片２０ｃには半球状のピボット２０ｃ１がＺ２側に突出して形成されている。
【００２７】
前記移動ベース１０には、図１においてＹ方向の略中央部で且つＸ１側の上端に設置基準面１３が形成されている。設置基準面１３には、半球状の凹面が形成されており、この凹面に前記ピボット２０ｃ１が支持される。またピボット２０ｃ１が形成された支持片２０ｃの上に板ばね４１が載せられ、前記板ばね４１の基端がねじ４２で前記移動ベース１０の上面に固定されている。この板ばね４１によって、前記ピボット２０ｃ１が、前記設置基準面１３の凹面に押え付けられている。
【００２８】
図２に示すように、前記移動ベース１０の凹部１１のＹ１側で且つＸ２側には取付孔１４が形成されている。この取付孔１４の中心は、レンズホルダ２３のＹ１側に向く端面２３ｓとほぼ一致する位置に設定されている。取付孔１４には、移動ベース１０の裏側（Ｚ２側）から調節ねじ１５が挿入されて、調節ねじ１５の先端が前記取付片２０ａの雌ねじ穴２０ａ１に螺着されている。前記調節ねじ１５の外周には圧縮コイルスプリング１７が設けられ、前記取付片２０ａは前記圧縮コイルスプリング１７によって、前記移動ベース１０から離れる方向へ付勢されている。
【００２９】
また図示していないが、同様に、前記取付片２０ｂが設置される位置においても、前記移動ベース１０に取付孔が形成されており、この取付孔に対し移動ベース１０の下側から調節ねじ１６が挿入されて、調節ねじ１６の先端が前記取付片２０ｂの雌ねじ穴２０ｂ１に螺着されている。そして、調節ねじ１６の外周に圧縮コイルスプリング１８が装着されて、前記取付片２０ｂは移動ベース１０から離れる方向へ付勢されている。
【００３０】
このように移動ベース１０に支持体２０が組付けられた状態で、移動ベース１０を調整用のディスク装置に設置し、対物レンズ２４を調整用のディスクに対向させる。そして調節ねじ１５を締め付けまたは弛めることで、ピボット２０ｃ１を支点として対物レンズ２４の光軸をＸ１方向またはＸ２方向へ倒す調節が可能となる。また、調節ねじ１６を締め付けまたは弛めることで光軸をＹ１方向またはＹ２方向へ倒す調節が可能になる。これにより、対物レンズ２４の光軸のラジアル方向とタンジェンシャル方向への傾き調節ができる。この調節が完了した時点で、調節ねじ１５，１６が接着剤で固定される。
【００３１】
図２に示すように、前記レンズホルダ２３のＹ１側の側面には、Ｘ１方向とＸ２方向に水平に突出する規制突起３１，３２が一体に形成されている。図２に示すように、この規制突起３１，３２は、レンズホルダ２３の下端に形成されている。一方の規制突起３１の先端から他方の規制突起３２の先端までの寸法をＤとすると、この寸法Ｄは、前記規制突起３１，３２が対向する凹部１１の内側面１１ａと１１ｂとの間の距離Ｗよりも短く形成されている。
【００３２】
この実施の形態では、前記凹部１１のＸ方向で対面する内側面１１ａおよび内側面１１ｂが側方規制部となっている。前記レンズホルダ２３は、トラッキング補正動作の必要性から、前記凹部１１内でＸ方向へ所定量移動できるように支持されている。ただし、レンズホルダ２３のＸ１方向への移動量は、規制突起３２の先端が前記内側面１１ｂに当たるのを限界として規制され、Ｘ２方向への移動量は、規制突起３１の先端が前記内側面１１ａに当たるのを限界として規制されている。
【００３３】
一方、前記規制突起３１の上方には、前記取付片２０ａから延びる上方規制部３３が対向している。他方の規制突起３２の上方においても、支持片２０ｃが上方規制部として機能して対向している。
【００３４】
前記レンズホルダ２３は、前記補正駆動手段によりフォーカシング補正動作の必要性からＺ方向へ移動自在に支持されているが、その上方（Ｚ１方向）への移動量は、前記規制突起３１，３２の上面３１ａ，３２ａが、前記取付片２０ａの下面２０ａ２，支持片２０ｃの下面２０ｃ２にそれぞれ当接する範囲を限界として規制されている。
【００３５】
このように規制することで、例えば外部からの衝撃や振動によって、あるいは補正駆動手段の誤動作によって、レンズホルダ２３がＸ方向やＺ方向へ大きく動いたとしても、その移動量が規制されて、ワイヤ２２が弾性限界を超えたり、あるいはレンズホルダ２３や対物レンズ２４がディスクに当たってディスクを損傷するのを防止できるようになっている。
【００３６】
図１と図２に示すように、前記側方規制部となる内側面１１ａが形成されている部分において、前記移動ベース１０にはＺ１側に突出する延出部３５が設けられている。対物レンズ２４の光軸が、移動ベース１０に対して垂直となるように、前記支持体２０の姿勢が標準状態に設定されているときに、前記延出部３５の上端は、上方規制部となる前記取付片２０ａの下面２０ａ２よりも上方に位置している。さらにこの実施の形態では、取付片２０ａに切欠き３６が形成されて、この切欠き３６内に前記延出部３５が挿通されている。
【００３７】
したがって、前述のように、外部からの衝撃や振動によって、前記レンズホルダ２０がＸ２方向へ大きく振れ、またＺ１方向へ大きく振れたことがあったとしても、前記規制突起３１が、前記延出部３５の上端（側方規制部の上端）と、上方規制部である取付片２０ａの下面２０ａ２との間に入り込むのを防止できる。よって、レンズホルダ２０がＸ２方向へ大きく振れたときに、規制突起３１の先端が側方規制部である内側面１１ａに必ず当たるようになり、フォーカシングコイル２７などが前記移動ベース１０に直接に当たって断線のおそれを生じるようなことを防止できる。
【００３８】
また、前記規制突起３１が、取付片２０ａの下側に嵌り込んで動作不良になるなどの問題が生じにくくなる。
【００３９】
前記延出部３５の上端の位置であるが、調節ねじ１５が弛み方向に調節されて対物レンズ２４の光軸がＸ１側に最大に傾斜したときに、前記延出部３５の上端が前記切欠き３６から抜け出ることなく、前記上端が必ず取付片２０ａの下面２０ａ２よりも上方に位置していることが好ましい。
【００４０】
あるいは、調節ねじ１５が弛み方向に調節されて対物レンズ２４の光軸がＸ１側に最大に傾斜し、このときに延出部３５の上端面と取付片２０ａの下面２０ａ２との間に隙間が形成されたとしても、この隙間の開き寸法が、前記規制突起３１の上下方向の厚さ寸法ｈよりも小さいことが好ましい。
【００４１】
このように構成すると、対物レンズ２４の光軸が最大限倒れるように、前記支持体２０の傾きが調節されたときに、前記規制突起３１が、延出部３５の上端と、取付片２０ａの下面２０ａ２との間に入り込むのを防止できる。
【００４２】
なお、本実施の形態では他方の規制突起３２に、支持片２０ｃが対向しているが、この支持片２０ｃの下面２０ｃ２と、設置基準面１３との隙間寸法も前記厚さ寸法ｈよりも小さくすることが必要であり、このように構成することで、前記規制突起３２が、支持片２０ｃと移動ベース１０の上面との間に入り込むのを防止できる。
【００４３】
【発明の効果】
以上説明した本発明では、レンズホルダを保持する支持体の移動量を規制する規制突起が設けられ、さらに支持体の傾き調整が自在とされた光ピックアップ装置において、前記支持体の傾き調整によって、前記支持突起が入り込む隙間が形成されるのを防止できるようになる。
【図面の簡単な説明】
【図１】本発明の光ピックアップ装置の一実施の形態の全体構造を示す平面図、
【図２】図１のＩＩ−ＩＩ線の断面図、
【図３】本発明の光ピックアップ装置の支持体およびレンズホルダを示す部分斜視図、
【図４】従来の光ピックアップ装置を示す断面図、
【符号の説明】
１０　移動ベース
１１　凹部
１１ａ，１１ｂ　内側面（側方規制部）
１５，１６　調節ねじ
１７，１８　圧縮コイルスプリング
２０　支持体
２０ａ，２０ｂ　取付片
２０ａ１，２０ｂ１　雌ねじ穴
２０ｃ　支持片
２０ｃ１　ピボット
２１　支持ベース
２３　レンズホルダ
２４　対物レンズ
２５ａ，２５ｂ　ヨーク
２６ａ，２６ｂ　マグネット
２７　フォーカシングコイル
２８　トラッキングコイル
３１，３２　規制突起
３３　上方規制部
３５　延出部
３６　切欠き
【図１】
2004013977.tif 000003
【図２】
2004013977.tif 000004
【図３】
2004013977.tif 000005
【図４】
2004013977.tif 000006